(57)【要約】  本発明は、磁束を発生するための複数の巻線（１０）を備え軸（４）上に配置された固定子（６）並びにこの固定子（６）の周りに配置され駆動ころ（１２）のころ管（１４）に結合できる回転子（８）を有する、コンベヤ設備（２６）の駆動ころ（１２）を駆動するためのころ駆動装置（２）に関する。ころ駆動装置（２）の運転中に発生される熱を良好に搬出するために、固定子（６）の端面に熱伝導要素（１６）が設けられている。【選択図】図５
2010529936.tif 000002
【特許請求の範囲】
【請求項１】
磁束を発生するための複数の巻線（１０）を備え軸（４）上に配置された固定子（６）並びにこの固定子（６）の周りに配置され駆動ころ（１２）のころ管（１４）に結合できる回転子（８）を有する、ころコンベヤ設備（２６）の駆動ころ（１２）を駆動するためのころ駆動装置（２）であって、
固定子（６）の端面に熱伝導要素（１６）が設けられていることを特徴とするころコンベヤ（２６）の駆動ころ（１２）を駆動するためのころ駆動装置（２）。
【請求項２】
熱伝導要素（１６）が、固定子（６）の端面に熱伝導的に全面接触する端面（１８）を有していることを特徴とする請求項１に記載のころ駆動装置（２）。
【請求項３】
熱伝導要素（１６）が、熱伝導性注入材（２０）を介して固定子（６）に結合されていることを特徴とする請求項１又は２に記載のころ駆動装置（２）。
【請求項４】
熱伝導要素（１６）が、その全面接触端面（１８）とは反対の端面（２２）に、内側に向いた円錐状凹所（２４）を有していることを特徴とする請求項２又は３に記載のころ駆動装置（２）。
【請求項５】
熱伝導要素（１６）が、ほぼ円筒状に形成されていることを特徴とする請求項１ないし４のいずれか１つに記載のころ駆動装置（２）。
【請求項６】
熱伝導要素（１６）が、ころ管（１４）の内径（ＤI）に比べて公差寸法だけ小さい外径（ＤW）の円筒状外周面を有していることを特徴とする請求項１ないし５のいずれか１つに記載のころ駆動装置（２）。
【請求項７】
熱伝導要素（１６）が、１００Ｗ／（ｍ・Ｋ）以上、特に１５０Ｗ／（ｍ・Ｋ）以上の熱伝導度を有する材料で形成されていることを特徴とする請求項１ないし６のいずれか１つに記載のころ駆動装置（２）。
【請求項８】
固定子（６）の両側端面にそれぞれ熱伝導要素（１６）が配置されていることを特徴とする請求項１ないし７のいずれか１つに記載のころ駆動装置（２）。
【請求項９】
熱伝導要素（１６）の長さ（ＬW）が固定子（６）の長さ（Ｌ1）の１５％より大きく、特に２０％より大きいことを特徴とする請求項１ないし８のいずれか１つに記載のころ駆動装置（２）。
【請求項１０】
請求項１ないし９のいずれか１つに記載のころ駆動装置（２）を有する駆動ころ（１２）を備えていることを特徴とするころコンベヤ設備（２６）。
【発明の詳細な説明】
【技術分野】
【０００１】
本発明はころコンベヤのころ駆動装置並びにころコンベヤ設備に関する。
【背景技術】
【０００２】
工業においてしばしば、物品を搬送するために、互いに平行に配置されベルトを介して互いに接続された複数のころ（ローラ）を有するころコンベヤ設備（搬送設備）が採用されている。ころコンベヤ設備の幾つかのころ、いわゆる駆動ころはころ駆動装置の一部として電動機を含み、その電動機によって駆動ころの回転運動が行なわれる。
【０００３】
ころ駆動装置は、通常、永久磁石を備えた中空回転子を有し、その中空回転子の内部に鉄心と複数の巻線とを備えた静止固定子が配置されている。回転子自体は駆動ころの外側ころ管に結合され、これによって、ころ管がころ駆動装置の運転中に回転子と共に回転される。
【０００４】
運転中、ころ駆動装置の損失電力が熱を発生し、その熱が物品を搬送するころ管を加熱する。その熱はころ管を介して周囲に放出され、従って、ころコンベヤによって搬送される物品に放出される。それにより物品が傷められないようにするために、ころ管の温度上昇は例えば約４０〜５０ケルビン温度までの許容範囲内でしか許されない。
【０００５】
ころ駆動装置は、通常、駆動ころの中央に位置され、その長さはころ管の長さの約２５％〜５０％である。このために、ころ管表面に不均一な温度分布が生ずる。ころ管が熱伝導性の悪い鋼から成っているために、ころ管におけるころ駆動装置が存在する中央部位は、ころ駆動装置が存在しない外側部位よりもかなり高い温度となる。ころ管はこれが回転子の永久磁石の磁束に対する磁気回路形成に利用され、このために、例えば鋼のような磁化可能な材料で作られねばならず、例えばアルミニウムや銅のような良熱伝導特性材料では形成できない。
【０００６】
今日では、ころ駆動装置で発生された熱の一部を熱伝達媒体が封入された例えばヒートパイプとも呼ばれる放熱管を介して取り出す対策が存在している。もっともかかるヒートパイプは電動機の軸径を大きくする必要があるため、固定子の直径が小さくされねばならない。このために、鉄心ないし巻線用の場所が狭くなり、これに伴ってトルクが減少する。
【０００７】
駆動ころに一体に組み込まれたころ駆動装置は、通常、できるだけ大きなトルクを発生しなければならず、そのトルクはころ駆動装置ないしころ管の寸法（直径、長さ、壁厚）に依存する。もっとも所望のトルク増大は、ころ駆動装置の大形化がころ駆動装置の大きな損失出力を生じさせるために、ころ駆動装置の寸法増大では行えない。
【発明の概要】
【発明が解決しようとする課題】
【０００８】
本発明の課題は、最大許容温度を超過することなしに、駆動ころのトルク増大を可能にすることにある。
【課題を解決するための手段】
【０００９】
この課題は、磁束を発生するための複数の巻線を備え軸上に配置された固定子並びにこの固定子の周りに配置され駆動ころのころ管に結合できる回転子を有する、ころコンベヤの駆動ころを駆動するためのころ駆動装置であって、その固定子の端面に熱伝導要素が設けられているころ駆動装置によって解決される。
【発明の効果】
【００１０】
本発明は、ころ駆動装置から放出される熱がころ管にできるだけ一様に分配されることによって駆動ころのトルク増大ができる、という考えに基づいている。これによって、ころ管のできるだけ全長にわたって大きな放熱が達成され、これにより、より大きなトルクにもかかわらず、ころ管の温度がいずれの箇所でも最大許容温度を超過することはない。ころ駆動装置で発生された熱が駆動ころに沿ってできるだけ大きな範囲にわたりころ管に放出されることによって、特に良好な温度分布が存在する。この目的のために、ころ駆動装置に結合され且つころ管の内部における空間を少なくとも部分的に充填する熱伝導要素が設けられている。この場合、ころ駆動装置の熱の一部が熱伝導要素に導かれ、そこから熱放射によりころ管に放出される。その熱伝導要素は固定子としか直接接触せず、回転ころ管から空隙を介して隔てられた静止構成要素を形成している。従って、その熱伝導要素はころ駆動装置の延長部となっており、これにより熱が駆動ころの長手方向のより長い距離にわたってころ管に放出され、これによって、より一様に分配される。
【００１１】
有利な実施態様において、この熱伝導要素は、固定子の端面に熱伝導的に全面接触する端面を有している。熱伝導要素と固定子の全面的な接触の結果、非常に強い熱伝達が行われ、これによって、ころ駆動装置で発生された熱の大部分が熱伝導要素を介して搬出される。
【００１２】
他の有利な実施態様において、この熱伝導要素は損失出力が生ずる固定子と、特に巻線端と熱伝導性注入材を介して結合されている。その注入材は、一方では、熱伝導要素のころ駆動装置への確実な固定を提供する。他方では、その注入材は特にころ駆動装置の端面が平らでない場合に特に有利である。即ち、その注入材が固定子の凹凸端面と熱伝導要素の端面との間に存在する隙間を塞ぎ、これにより、ころ駆動装置と熱伝導要素との熱伝達性が向上される。その注入材として、良好な熱伝導性を有する、例えば粘塑性材料あるいは硬化性材料、特に接着剤も利用される。
【００１３】
熱伝達要素ができるだけ多量の熱を周囲に放出するように形成されていることによって、ころ駆動装置で発生された熱の搬出を追加的に増大することができる。その場合、この熱伝導要素は、好適には、その全面接触端面とは反対側の端面に内側に向いた円錐状凹所を有している。その円錐状凹所によって、熱伝達要素の表面積が増大され、これによって、熱放射の形で周囲に放出される熱量が増大される。また、その凹所は材料の削減を可能とし、これによって、熱伝達要素が特に安価に構成できる。
【００１４】
好適には、熱伝導要素はほぼ円筒状に形成されている。この実施態様において、熱伝導要素の形状はころ管の形状に特に良好に合わされ、これによって、一様な熱伝達が行われる。特に熱伝導要素はころ管に対して同心的に配置され、これによって、熱伝導要素から放射された熱は半径方向に一様に分配される。
【００１５】
熱伝導要素がころ管の内径に比べて公差寸法だけ小さい外径の円筒状外周面を有していることが有利である。その公差寸法は、熱伝導要素の外周面ところ管の内周面との間にできるだけ小さな隙間しか生じないように規定され、熱伝導要素の熱はその小さな隙間を介して熱放射の形でころ管に放出される。同時にその公差寸法は、熱伝導要素の外周面ところ管との間の隙間が、ころ管の回転中における熱伝導要素ところ管との接触従って摩擦を防止するために十分であるように規定されている。熱伝導要素の外径は特に回転子の外径に相応し、これによって、熱伝導要素はころ駆動装置の軸方向延長部となっている。
【００１６】
熱伝導要素の内部における熱の迅速な分配のために、熱伝導要素は、好適には、１００Ｗ／（ｍ・Ｋ）以上、特に１５０Ｗ／（ｍ・Ｋ）以上の熱伝導度を有する材料で形成されている。その熱伝導要素は例えばアルミニウム、銅あるいはマグネシウムで形成されるか、大部分がアルミニウム、銅および／又はマグネシウムで構成された合金で形成される。
【００１７】
ころ管における特に一様な熱分配のために、好適には、固定子の両側端面にそれぞれ熱伝導要素が配置されている。
【００１８】
ころ管への大きな熱伝達を可能とするために、熱伝導要素の長さは、好適には、固定子の長さの１５％より大きく、特に２０％より大きくされている。熱伝導要素の長さは特に現存場所に合わされ、熱伝導要素が長ければ長いほど、熱伝導要素は多量の熱を吸収でき、駆動ころにおける熱分配を良好にする。
【００１９】
また本発明の課題は請求項１０に記載のころ駆動装置を備えたころコンベヤ設備（搬送設備）によって解決される。ころ駆動装置について述べた利点およびその有利な実施態様は、ころコンベヤ設備に同じように転用できる。
【００２０】
以下図を参照して本発明の実施例を詳細に説明する。なお各図において同一部分には同一符号が付されている。
【図面の簡単な説明】
【００２１】
【図１】ころ駆動装置の斜視図。
【図２】ころ駆動装置が一体に組み込まれた駆動ころの透視図。
【図３】熱伝導要素の端面の斜視図。
【図４】図３の熱伝導要素の反対側端面の斜視図。
【図５】２つの熱伝導要素を有するころ駆動装置を備えた駆動ころの透視図。
【図６】ころコンベヤ設備の部分破断斜視図。
【発明を実施するための形態】
【００２２】
図１に、軸４上に配置された固定子６と、この固定子６を包囲する回転子８とを有するころ駆動装置２が示されている。その静止固定子６は複数の巻線１０が配置された鉄心で形成されている。回転子８は固定子６の周りに、回転子８が巻線１０で発生された磁力により固定子６の周りを自由に回転できるように配置されている。回転子８はころ駆動装置２の直径を規定する外径ＤRを有している。
【００２３】
ころ駆動装置２は、ここでは詳細に図示されていないころコンベヤ設備（搬送設備）の一部である駆動ころ１２を駆動するために利用される。また駆動ころ１２はころ管１４を含み、駆動ころ１２はころ管１４の中にその長さＬ2に関して中央に位置されている。回転子８はここでは詳細に図示されていない取付け手段を介してころ管１４に結合され、これによって、ころ駆動装置２の運転中、回転子８の回転がころ管１４を一緒に回転させる。ころ管１４は回転子８の外径ＤRより僅かに大きい内径ＤIを有している。
【００２４】
ころ駆動装置２の長さＬ1は、通常、ころ管１４の長さＬ2の約２５％〜５０％である。この実施例においては、その長さＬ1はころ管１４の長さＬ2の３０％である。
【００２５】
ころ駆動装置２の運転中に固定子６に生ずる熱を良好な搬出するために、図３と図４に示されているような熱伝導要素１６が設けられている。この熱伝導要素１６はほぼ円筒状に形成され、回転子８の外径ＤRにほぼ等しい直径ＤWを有している。この熱伝導要素１６はアルミニウムおよび／又は銅で形成されている。
【００２６】
熱伝導要素１６は、固定子６の端面に熱伝導的に全面接触する端面１８を有している。この実施例において、その熱伝導接触は端面１８のここでは詳細に図示されていない凹所に詰められた注入材２０を介して行われる。この場合、その注入材２０を介して固定子６と熱伝導要素１６との間でしか接触が行われず、このために、ころ駆動装置２の運転中、熱伝導要素１６は動かない。回転子８の回転が害されないようにするために、熱伝導要素１６と回転子８との接触は阻止されている。
【００２７】
図４で理解できるように、熱伝導要素１６はその全面接触端面１８とは反対側の端面２２に内側に向いた円錐状凹所を有している。この凹所２４は、一方では、材料を節約し、他方では、熱伝導要素１６の表面を増大するために役立ち、これによって、より多くの熱が周囲に放出できる。
【００２８】
駆動ころ１２は組立状態において図５に示されているように、ころ駆動装置２の両端面に熱伝導要素１６を固定してころ管１４の内部に配置されている。熱伝導要素１６の直径ＤWが回転子８の直径に相当していることによって、その直径ＤWはころ管１４の内径ＤIに比べて公差寸法だけ減少されている。従って、熱伝導要素１６ところ管１４との間に非常に小さな隙間が生じ、この隙間を介して、熱伝導要素１６からの熱が熱放射の形でころ管１４に放出される。
【００２９】
この実施例において、各熱伝導要素１６の長さＬWはころ駆動装置２の長さＬIの約３０％である。従って、熱伝導要素１６は駆動ころ１２の延長部となっており、これによって、熱伝導要素１６に導入された廃熱をころ管１４の内部により良好に分配することができる。これによって特にトルク増大が可能となり、その場合、一様な廃熱分布に基づいて、ころ管１４の所定の許容温度を超過することはない。
【００３０】
図６に物品（図示せず）を搬送するためのころコンベヤ設備２６が示され、このころコンベヤ設備２６は、互いに平行に配置された複数のころ（ローラ）１２、２８を有している。それらのころは、駆動ころ１２の形態で形成されているか、本質的にころ管しか含まない空転ころ２８である。それらのころ１２、２８はベルトを介して互いに連結され、これによって、駆動ころ１２の回転運動が空転ころ２８に伝達される。また、物品の位置を検出するために、光バリヤ（光学的通過センサ）３２が設けられている。
【符号の説明】
【００３１】
２    ころ駆動装置
６    固定子
８    回転子
１４    ころ管
１６    熱伝導要素
１８    端面
２０    注入材
２６    ころコンベヤ設備
【図１】
2010529936.tif 000003
【図２】
2010529936.tif 000004
【図３】
2010529936.tif 000005
【図４】
2010529936.tif 000006
【図５】
2010529936.tif 000007
【図６】
2010529936.tif 000008
【手続補正書】
【提出日】平成22年6月4日(2010.6.4)
【手続補正１】
【補正対象書類名】特許請求の範囲
【補正対象項目名】全文
【補正方法】変更
【補正の内容】
【特許請求の範囲】
【請求項１】
磁束を発生するための複数の巻線（１０）を備え軸（４）上に配置された固定子（６）並びにこの固定子（６）の周りに配置され駆動ころ（１２）のころ管（１４）に結合できる回転子（８）を有する、ころコンベヤ設備（２６）の駆動ころ（１２）を駆動するためのころ駆動装置（２）であって、
固定子（６）の端面に当該固定子（６）と直接接触する熱伝導要素（１６）が設けられていることを特徴とするころコンベヤ（２６）の駆動ころ（１２）を駆動するためのころ駆動装置。
【請求項２】
熱伝導要素（１６）が、固定子（６）の端面に熱伝導的に全面接触する端面（１８）を有していることを特徴とする請求項１に記載のころ駆動装置。
【請求項３】
熱伝導要素（１６）が、熱伝導性注入材（２０）を介して固定子（６）に結合されていることを特徴とする請求項１又は２に記載のころ駆動装置。
【請求項４】
熱伝導要素（１６）が、その全面接触端面（１８）とは反対の端面（２２）に、内側に向いた円錐状凹所（２４）を有していることを特徴とする請求項２又は３に記載のころ駆動装置。
【請求項５】
熱伝導要素（１６）が、円筒状に形成されていることを特徴とする請求項１ないし４のいずれか１つに記載のころ駆動装置。
【請求項６】
熱伝導要素（１６）が、ころ管（１４）の内径（ＤI）に比べて公差寸法だけ小さい外径（ＤW）の円筒状外周面を有していることを特徴とする請求項１ないし５のいずれか１つに記載のころ駆動装置。
【請求項７】
熱伝導要素（１６）が、１００Ｗ／（ｍ・Ｋ）以上の熱伝導度を有する材料で形成されていることを特徴とする請求項１ないし６のいずれか１つに記載のころ駆動装置。
【請求項８】
固定子（６）の両側端面にそれぞれ熱伝導要素（１６）が配置されていることを特徴とする請求項１ないし７のいずれか１つに記載のころ駆動装置。
【請求項９】
熱伝導要素（１６）の長さ（ＬW）が固定子（６）の長さ（Ｌ1）の１５％より大きいことを特徴とする請求項１ないし８のいずれか１つに記載のころ駆動装置。
【請求項１０】
請求項１ないし９のいずれか１つに記載のころ駆動装置（２）を有する駆動ころ（１２）を備えていることを特徴とするころコンベヤ設備。
【手続補正２】
【補正対象書類名】明細書
【補正対象項目名】０００９
【補正方法】変更
【補正の内容】
【０００９】
この課題は、磁束を発生するための複数の巻線を備え軸上に配置された固定子並びにこの固定子の周りに配置され駆動ころのころ管に結合できる回転子を有する、ころコンベヤの駆動ころを駆動するためのころ駆動装置であって、その固定子の端面に当該固定子と直接接触する熱伝導要素が設けられているころ駆動装置によって解決される。
【国際調査報告】
2010529936.tif 000009
2010529936.tif 000010
2010529936.tif 000011
2010529936.tif 000012